(57)【特許請求の範囲】
【請求項１】
認証用ＩＤコードを有する遠隔操作機器と、前記認証用ＩＤコードを記憶するＩＤコード記憶部を有する制御機器と、前記制御機器が前記遠隔操作機器の指令信号を受けて動作する通常動作モード及び新規の認証用ＩＤコードを前記認証用ＩＤコードとして登録する遠隔操作機器登録モードと、を有するリモートコントロールシステムにおいて、
前記制御機器は、前記通常動作モードの動作中、受信した新規の認証用ＩＤコードを登録禁止ＩＤコードとして前記ＩＤコード記憶部に記憶すると共に、前記遠隔操作機器登録モードの動作中は、遠隔操作機器からの受信信号の通信データに含まれる認証用ＩＤコードが前記登録禁止ＩＤコードとして前記ＩＤコード記憶部に記憶されていない場合に、新規に認証用ＩＤコードとして記憶・登録して登録完了することを特徴とするリモートコントロールシステム。
【請求項２】
請求項１記載のリモートコントロールシステムにおいて、
前記通常動作モード中は、所定の回数以上受信した認証用ＩＤコードのみを記憶することを特徴とするリモートコントロールシステム。
【請求項３】
請求項１又は請求項２記載のリモートコントロールシステムにおいて、
１回の前記遠隔操作機器登録モード中は、１種類の新たな認証用ＩＤコードのみを登録することを特徴とするリモートコントロールシステム。
【請求項４】
請求項１乃至請求項３のいずれか１項記載のリモートコントロールシステムにおいて、
遠隔操作機器登録モード中は、認証用ＩＤコード登録完了時、認証用ＩＤコードと同時に受信した操作信号に応じた負荷動作を行うことを特徴とするリモートコントロールシステム。
【発明の詳細な説明】
【０００１】
【発明の属する技術分野】
本発明は、電波を用いたリモートコントロールシステムにおいて、一対のリモコンと本体との構成形態に新規のリモコンを増設・登録する技術、若しくは、既存のリモコンが故障または紛失した場合に代替の新規リモコンを増設・登録する技術分野に関する物である。
【０００２】
【従来の技術】
電波を用いたリモコンシステムにおいて、リモコンと本体とを一対とし、数千種類あるＩＤコードの内の一つを一対のリモコンと本体とに割り付け、この共通のＩＤコードが一致した時のみ受信を許可して受信データを採用するという相互認証システムはよく知られている。
また、このシステムにＩＤコードの異なるリモコンを新規に増設し、複数のリモコンと一つの本体との相互認証が可能となる事を目的として、親機リモコン（最初に一対となっているリモコン）と新規に増設するリモコンとを組み合わせて特殊な動作を行う事で、本体側へ新規に増設するリモコンのＩＤコードを登録させる技術は、特許番号第２９３８０５０にて述べられている。
【０００３】
【発明が解決しようとする課題】
しかしながら、従来の技術では、新規リモコンを登録する条件である特殊な動作が親機リモコンと新規リモコンを所定のパターンで操作する事に止まっており、この間に意に反して他のコードを有する別リモコンからの信号を受け付けた場合、本体はこの別リモコンを誤って登録するという問題が残されている。
また、新規リモコンを登録するためには親機リモコンとの連動動作が絶対条件となっている為、親機リモコンが故障した場合や紛失した場合には、この手段では全く意味を成さず登録自体が出来ない。
【０００４】
【課題を解決するための手段】
本発明に従うリモートコントロールシステムは、認証用ＩＤコードを有する遠隔操作機器と、上記認証用ＩＤコードを記憶するＩＤコード記憶部を有する制御機器と、上記制御機器が上記遠隔操作機器の指令信号を受けて動作する通常動作モード及び新規の認証用ＩＤコードを上記認証用ＩＤコードとして登録する遠隔操作機器登録モードと、を有するもので、上記制御機器は、上記通常動作モードの動作中、受信した新規の認証用ＩＤコードを上記ＩＤコード記憶部に記憶すると共に、上記遠隔操作機器登録モードの動作中は上記ＩＤコード記憶部に記憶された新規の認証用ＩＤ以外を登録する。
【０００５】
請求項１に係る発明は、認証用ＩＤコードを有する遠隔操作機器と、前記認証用ＩＤコードを記憶するＩＤコード記憶部を有する制御機器と、前記制御機器が前記遠隔操作機器の指令信号を受けて動作する通常動作モード及び新規の認証用ＩＤコードを前記認証用ＩＤコードとして登録する遠隔操作機器登録モードと、を有するリモートコントロールシステムにおいて、前記制御機器は、前記通常動作モードの動作中、受信した新規の認証用ＩＤコードを登録禁止ＩＤコードとして前記ＩＤコード記憶部に記憶すると共に、前記遠隔操作機器登録モードの動作中は、遠隔操作機器からの受信信号の通信データに含まれる認証用ＩＤコードが前記登録禁止ＩＤコードとして前記ＩＤコード記憶部に記憶されていない場合に、新規に認証用ＩＤコードとして記憶・登録して登録完了することとした。つまり、遠隔操作機器を複数増設したい場合や紛失・故障した場合に備え、制御機器を登録モードに状態遷移させ、このモード中に新規に登録させたい遠隔操作機器より電波を発し新しいＩＤコードが登録できるようにしている。ここで、本発明では通常動作モード中にＩＤコードの異なる遠隔操作機器からの電波を受信した場合、このＩＤコードをＩＤコード記憶部に記憶することを特徴としている。これは、通常動作モード中に飛来してくるＩＤコードの異なる電波は、隣家や周囲に設置されてある目的を異とする妨害電波と認識し、登録モード中にこの妨害電波が飛来してきても記憶されているＩＤコードと比較参照することで誤ってこの妨害電波のＩＤコードを登録することを回避できる。
【０００６】
請求項２に係る発明は、請求項１記載のリモートコントロールシステムにおいて、前記通常動作モード中は、所定の回数以上受信した認証用ＩＤコードのみを記憶することを特徴とするリモートコントロールシステムとした。つまり、極力短期間に妨害電波の飛来回数がこの所定の回数を上回ることが安全であるため、所定の回数は２回以上１０回以下が好ましい。
【０００７】
請求項３に係る発明は、請求項１又は請求項２記載のリモートコントロールシステムにおいて、１回の前記遠隔操作機器登録モード中は、１種類の新たな認証用ＩＤコードのみを登録することを特徴とするリモートコントロールシステムとした。これは、登録モードが継続する期間を短くすることができるため、妨害電波の検出頻度を上げることも可能となる。
【００１１】
【発明の実施の形態】
【実施例】
次に、本発明の実施の形態を実施例に基づき説明する。図１は、本発明にかかる実施例の基本ブロック図である。図１において、１は制御機器を示している。制御機器１は、遠隔操作機器からの電波を受信する受信アンテナ２、受信アンテナ２から受信した電波を変調する受信部３、受信部3にて変調された信号から遠隔操作機器より送られた通信データを抽出する通信データ抽出部４、信号の処理を行うＣＰＵ５、生産時に予め登録・記憶される制御機器１自体のＩＤコードや遠隔操作機器からの通信データに含まれるＩＤコードを記憶するＩＤコード記憶部６、通常動作モードから登録モードへの状態遷移要求を入力する登録モードＳＷ入力部７、通信データの中の操作信号を負荷９へ伝送する負荷駆動部８を有している。
【００１２】
図2は、本発明にかかる実施例の通信データフレーム図である。１フレーム長は、先頭にリードオン部、次にリードオフ部、次ににｍビットからなるＩＤコード部、最後にｎビットからなるデータ部から構成される。ｍ及びｎは自然数を表わし、ここでは０データ若しくは１データに応じてビットを構成する時間を変えている。ＣＰＵ５は、まずリードオン部とリードオフ部を計測することで遠隔操作機器から電波信号が受信されたことを認識し、次にＩＤコード部に含まれる遠隔操作機器のＩＤコードを読み取り、最後にデータ部に含まれる遠隔操作機器からの操作信号を読み取る。
【００１３】
次に、本実施例の制御機器１のＣＰＵ５で行う制御内容について説明する。図３は、本発明の遠隔機器登録の動作を示す第一のフローチャート図である。
【００１４】
図３において、まずＳ３０１にて遠隔操作機器からの受信信号が有るかどうかを判断する。Ｓ３０１にて否定であれば再びスタートへ戻る。Ｓ３０１にて肯定であればＳ３０２にて通信データに含まれるＩＤコードが予めＩＤコード記憶部６にて記憶されているＩＤコードと一致するかどうかを判断する。Ｓ３０２にて肯定であればＳ３０８へジャンプして受信信号内のデータに応じて負荷を駆動させる。Ｓ３０２にて否定であればＳ３０３へジャンプして現在が登録モード中であるかどうかを判断する。尚、ここで一致しなかったＩＤコードをＩＤ（異）と呼ぶ事とする。Ｓ３０３にて否定であればＳ３０４にてＩＤ（異）を今後一切登録を禁止するコードとしてＩＤコード記憶部６に記憶しスタートへジャンプする。Ｓ３０３にて肯定であればＳ３０５にてＩＤ（異）が登録禁止としてＩＤコード記憶部６にて記憶されていないかどうかを判断する。Ｓ３０５にて肯定であればＩＤ（異）は既に登録禁止である為登録モード中に受信した信号であってもＩＤコードを登録せずにスタートへジャンプする。Ｓ３０５にて否定であればＳ３０６にてＩＤ（異）を新規に記憶・登録し、Ｓ３０７にて登録モードを終了させＳ３０８へジャンプし、Ｓ３０８にて受信信号内のデータに応じて負荷を駆動させ、その後スタートへジャンプする。
【００１５】
尚、図示はしていないが、制御機器１に予め登録・記憶されているＩＤコードや登録モード中に新規に登録されるＩＤコードと、Ｓ３０４にて登録禁止と記憶されるＩＤコードの、ＩＤコード記憶部６内における記憶エリアは明らかに区分されており、ＣＰＵ５は容易に区別できることは言うまでもない。
【００１６】
次に、本発明の遠隔機器登録の動作を示す第二のフローチャート図を図４に示す。
【００１７】
図４において、まずＳ４０１にて遠隔操作機器からの受信信号が有るかどうかを判断する。Ｓ４０１にて否定であれば再びスタートへ戻る。Ｓ４０１にて肯定であればＳ４０２にて通信データに含まれるＩＤコードが予めＩＤコード記憶部６にて記憶されているＩＤコードと一致するかどうかを判断する。Ｓ４０２にて肯定であればＳ４０９へジャンプして受信信号内のデータに応じて負荷を駆動させる。Ｓ４０２にて否定であればＳ４０３へジャンプして現在が登録モード中であるかどうかを判断する。尚、ここで一致しなかったＩＤコードをＩＤ（異）と呼ぶ事とする。Ｓ４０３にて否定であればＳ４０４にてＩＤ（異）を今後一切登録を禁止するコードとしてＩＤコード記憶部６に記憶しスタートへジャンプする。Ｓ４０３にて肯定であればＳ４０５にてＩＤ（異）が登録禁止としてＩＤコード記憶部６にて記憶されていないかどうかを判断する。Ｓ４０５にて肯定であればＩＤ（異）は既に登録禁止である為登録モード中に受信した信号であってもＩＤコードを登録せずにスタートへジャンプする。Ｓ４０５にて否定であればＳ４０６にてＩＤ（異）を新規に記憶・登録し、Ｓ４０７にて登録完了を示す仕様で負荷を駆動させ、Ｓ４０８にて登録モードを終了させその後スタートへジャンプする。
【００１８】
次に、本発明の遠隔機器登録の動作を示す第三のフローチャート図を図５に示す。
【００１９】
図５において、まずＳ５０１にて遠隔操作機器からの受信信号が有るかどうかを判断する。Ｓ５０１にて否定であれば再びスタートへ戻る。Ｓ５０１にて肯定であればＳ５０２にて通信データに含まれるＩＤコードが予めＩＤコード記憶部６にて記憶されているＩＤコードと一致するかどうかを判断する。Ｓ５０２にて肯定であればＳ５０８へジャンプして受信信号内のデータに応じて負荷を駆動させる。Ｓ５０２にて否定であればＳ３０３へジャンプして現在が登録モード中であるかどうかを判断する。尚、ここで一致しなかったＩＤコードをＩＤ（異）と呼ぶ事とする。Ｓ５０３にて否定であればＳ５０４にてＩＤ（異）を今後一切登録を禁止するコードとしてＩＤコード記憶部６に記憶しスタートへジャンプする。Ｓ５０３にて肯定であればＳ５０５にてＩＤ（異）が登録禁止としてＩＤコード記憶部６にて記憶されていないかどうかを判断する。Ｓ５０５にて肯定であればＳ５０９にて特別な動作仕様で負荷を駆動する。これはＩＤ（異）は既に登録禁止である為登録モード中に受信した信号であってもＩＤコードを登録出来ない旨を操作者へ伝える事を目的とする物であり、その後スタートへジャンプする。Ｓ５０５にて否定であればＳ５０６にてＩＤ（異）を新規に記憶・登録し、Ｓ５０７にて登録モードを終了させＳ５０８へジャンプし、Ｓ５０８にて受信信号内のデータに応じて負荷を駆動させ、その後スタートへジャンプする。
【００２０】
遠隔操作機器からの信号を受けて動作を行う通常動作モードと遠隔操作機器の認証用ＩＤコードを新たに記憶し新たな遠隔操作機器の操作の受付け可能な認証用ＩＤコードとして登録する遠隔操作機器登録モードとを有する制御機器において、制御機器は前記通常動作モード中、受信した認証用ＩＤをＩＤコード記憶部に記憶すると共に、登録モード中は前記記憶された認証用ＩＤと異なる認証用ＩＤコードの遠隔操作機器のみ登録することにより、制御機器は、相互認証されていない遠隔操作機器を通常動作モード中に認識することができ、登録モード中に意に反して前記遠隔操作機器からの信号を受信したとしても誤って登録すること無く、正規の登録すべき遠隔操作機器のＩＤコードを正確に登録することが可能となった。
【００２１】
また、通常動作モード中は所定の回数以上受信したＩＤコードのみ記憶することにより、操作者が誤って通常動作モード中に新規に登録すべき遠隔操作機器の操作を行っても、登録作業に弊害を及ぼすことを排除できた。
【００２２】
また、１回の前記遠隔操作機器登録モード中は、１種類の新たなＩＤコードのみ登録することにより、登録モードが継続する時間を最小限にとどめることができるため、外来からの妨害電波を最小限にとどめることが可能となり、遠隔操作機器の登録作業の信頼性を向上させた。
【００２３】
また、遠隔操作機器登録モード中は、ＩＤコード登録完了時、ＩＤコードと同時に受信した操作信号に応じた負荷動作を行うことにより、操作者へＩＤコード登録が正常に完了した旨を伝えることが可能となった。
【００２６】
【図面の簡単な説明】
【図１】本発明の一実施形態示す基本ブロック図
【図２】本発明の一実施例を示す通信データフレーム図
【図３】本発明の遠隔機器登録の動作を示す第一のフローチャート図
【図４】本発明の遠隔機器登録の動作を示す第二のフローチャート図
【図５】本発明の遠隔機器登録の動作を示す第三のフローチャート図
【符号の説明】
１…制御機器
２…受信アンテナ
３…受信部
４…通信データ抽出部
５…ＣＰＵ
６…ＩＤコード記憶部
７…登録モードＳＷ入力部
８…負荷駆動部
９…負荷
【図１】
0003769749.tif 000002
【図２】
0003769749.tif 000003
【図３】
0003769749.tif 000004
【図４】
0003769749.tif 000005
【図５】
0003769749.tif 000006